(57)【要約】【課題】草木の丈に合せて拡開幅と高さの調整が可能であるし、設置及び撤去作業が簡単かつ容易で作業性に優れており、撤去後の収納も容易で翌年の再利用が可能であり、草木の丈に対応して高さの設定変更も容易で、傾斜面にも安定良く設置できる雪囲いを提供する。【解決手段】雪囲い１を構成する一対の連結支持体２の各々は、パネル係合部としての下向きホゾ穴２Ｅ、２Ｅを有し、ヒンジ３によって略ハ字状に拡開可能に連結してある。前、後面に開口する複数個の抜き穴５Ｅを有する遮蔽パネル５は、連結支持体２の下向きホゾ穴２Ｅに上向きホゾ５Ｄを挿嵌して着脱自在に連結してあり、下向きホゾ穴５Ｊには地盤係止と水平保持のための地盤係止体６が着脱自在に設けてある。【選択図】図２
2012239387.tif 000002
【特許請求の範囲】
【請求項１】
各々がパネル係合部を有し、略ハ字状に拡開可能に連結した一対の連結支持体と、該各連結支持体の前記パネル係合部に着脱自在な上側連結部を有し、下面に下側連結部を有する一対の遮蔽パネルとから構成してなる雪囲い。
【請求項２】
前記遮蔽パネルは、前、後面に開口する複数個の抜き穴を形成してあることを特徴とする請求項１記載の雪囲い。
【請求項３】
前記遮蔽パネルは、前記下側連結部に地盤係止と水平保持のための地盤係止体を着脱自在に設けてあることを特徴とする請求項１記載の雪囲い。
【請求項４】
前記連結支持体には、前記一対の遮蔽パネルが過大に拡開するのを防止する拡開防止具を設けてあることを特徴とする請求項１記載の雪囲い。
【請求項５】
請求項１記載の雪囲いは、横方向に隣接する他の雪囲いと着脱自在に列設可能であることを特徴とする雪囲い。
【請求項６】
前記遮蔽パネルは、他の遮蔽パネルと縦方向に着脱自在に構成してあることを特徴とする請求項１記載の雪囲い。
【発明の詳細な説明】
【技術分野】
【０００１】
本発明は、降雪地の冬期間に草木を積雪の荷重や強風から保護するために用いる雪囲いに関する。
【背景技術】
【０００２】
降雪地では、冬期になる前に草木を積雪の荷重や強風から保護するために雪囲いを設置することを行っている。一般的な雪囲いは、１本の草木毎にこれを取り囲むように３〜４本の竹を立設して上端側を紐で束ね、この竹の束の高さ方向途中に縄を巻装する構成のものや、縄に加えて筵を巻き付ける構成のものからなっている。しかし、草木毎に行う組み付け及び解体の作業が面倒である、積雪荷重に対する強度性が十分でない、素人の組み付け作業では強度性を持たせることが困難で庭師に依頼することになる、毎年使用できない等の欠点がある。
【０００３】
そこで、頂部材及び脚杆体とから全体としてほぼ三角形状をなす複数個の支柱構造体Ｋと、頂部材１、１間に横設する横桟体４と、横桟体４に上端側を係合し、左右両側から交互に架設して地面に立設配置する複数本の覆杆体５と、覆杆体５のＸ状部分の上部間に位置して頂部材１、１間に挿通架設する保形杆体６とから構成した雪囲いが知られている（特許文献１）。
また、横柱２０と、横柱２０の両端に取り付けた一対の連結部材３０、３０と、各連結部材３０に接続した支持脚４０と、支持脚４０に設けた棚板保持用の保持具５０とから構成した雪囲い用の骨格支柱１０が知られている（特許文献２）。
【先行技術文献】
【特許文献】
【０００４】
【特許文献１】特許第３９８９８５４号公報
【特許文献２】特開平１１−１９２０２６号公報
【発明の概要】
【発明が解決しようとする課題】
【０００５】
上述した特許文献１の技術は、構成部材として頂部材１、脚杆体２、横桟体４、覆杆体５及び保形杆体６と種類が多様であり、組立てと分解の作業が面倒で長時間を要する、強度性に欠ける、覆杆体５の間が空いているために強風から草木を保護することができない、といった欠点がある。
また、特許文献２の技術は、一対の支持脚４０、４０間に縦方向に一定間隔で棚板４を架設する作業及び解体する作業が面倒である、連結部材３０は専用の金物で高価であるし、経年発錆の問題、支持脚４０に複数枚の棚板４を載置し、また取外す作業に手間が掛かるといった欠点がある。また、特許文献１及び２のいずれの技術も、草木の丈に応じた高さを自在に設定することができないという問題がある。
【０００６】
本発明は上述した従来技術の欠点及び問題点に鑑みなされたもので、２枚の遮蔽パネルを基本構成として、草木の丈に合せて拡開幅と高さの調整が可能であるし、設置及び撤去作業が簡単かつ容易で作業性に優れており、撤去後の構成部材の収納も容易で翌年の再利用が可能であり、草木の背の高さに対応して高さの設定変更も容易であり、傾斜面にも安定良く設置でき、しかも強度性に優れている雪囲いを提供することを目的とする。
【課題を解決するための手段】
【０００７】
上述した課題を解決するために構成した本発明の手段は、各々がパネル係合部を有し、略ハ字状に拡開可能に連結した一対の連結支持体と、該各連結支持体の前記パネル係合部に着脱自在な上側連結部を有し、下面に下側連結部を有する一対の遮蔽パネルとからなる。
【０００８】
そして、前記遮蔽パネルは、前、後面に開口する複数個の抜き穴を形成するとよい。
【０００９】
また、前記遮蔽パネルは、前記下側連結部に地盤係止と水平保持のための地盤係止体を着脱自在に設ける構成にするとよい。
【００１０】
前記連結支持体には、前記一対の遮蔽パネルが過大に拡開するのを防止する拡開防止具を設けるとよい。
【００１１】
請求項１記載の雪囲いは、横方向に隣接する他の雪囲いと着脱自在に列設可能にするとよい。
【００１２】
前記遮蔽パネルは、他の遮蔽パネルと縦方向に着脱自在に連結する構成にするとよい。
【発明の効果】
【００１３】
本発明は上述の構成にしたから、下記の諸効果を奏する。
（１）拡開可能な一対の連結支持体に連結した遮蔽パネルは略ハ字状に開いた状態で地盤に設置して草木の上方を覆う構成にしたから、設置が簡単で容易であるし、積雪や強風に対して強度性に優れている。
（２）雪囲いは、一対の連結支持体及び遮蔽パネルを開閉可能に構成してあるから、収納性に優れているし、翌年再利用する場合も作業が簡単である。
（３）遮蔽パネルには、前、後面に開口する複数個の抜き穴を形成したから、軽量化により作業時の負担が少ないし、また抜き穴を介して太陽光が内側に射し込むことにより融雪を促進し、草木の生育を促すことができる。
（４）遮蔽パネルは下面に地盤係止と水平保持のための地盤係止体を設けることにより、雪囲いが積雪荷重や風圧で位置ずれして草木を傷めるのを防止し、かつ傾斜地でも略水平に設置することにより積雪荷重が片寄りして雪囲いが転倒する事態を避けることができる。
（５）連結支持体に一対の遮蔽パネルが過大に拡開するのを防止する拡開防止具を設けたから、積雪荷重で遮蔽パネルが拡開して高さが低くなり、草木を傷める事態を確実に防止することができる。
（６）雪囲いは、他の雪囲いを横方向に着脱自在に連結可能に構成したから、列状に植生してある草木の全体を簡単な作業で容易に覆うことができるし、高い強度性を持つことができる。
（７）遮蔽パネルは、他の遮蔽パネルを縦方向に着脱自在に連結する構成にしたから、草木の丈に合わせて高さを調整することができる。
【図面の簡単な説明】
【００１４】
【図１】図１乃至図５は本発明の第１の実施の形態に係り、図１は雪囲いの正面図である。
【図２】雪囲いの正面分解図である。
【図３】連結支持体の部分拡大図である。
【図４】アイボルトの作用を示す連結支持体の部分拡大図である。
【図５】雪囲いの使用状態の側面図である。
【図６】図６乃至図８は第２の実施の形態に係り、図６は雪囲いの正面図である。
【図７】雪囲いの正面分解図である。
【図８】雪囲いの分解部分斜視図である。
【発明を実施するための形態】
【００１５】
以下、本発明の実施の形態を図面に基づいて説明する。図１において、１は雪囲い、２、２は該雪囲い１を構成する木製の一対の連結支持体を示す。該各連結支持体２は前面２Ａ、後面２Ｂが平坦な横長方形の平板からなり、下面２Ｃにはパネル係合部となる横長の一対の下向きホゾ穴２Ｅ、２Ｅが長手方向に離間して形成してある。そして、一対の連結支持体２、２は上面２Ｄに設けたヒンジ３で連結してあり、略ハ字状に下向きに拡開可能に、かつ格納時には後面２Ｂ、２Ｂを衝合して平板状に折畳み可能になっている。
【００１６】
４、４は一側の連結支持体２の上面２Ｄに長手方向に離間して設けた一対のアイボルトを示す。該一対のアイボルト４、４は連結支持体２、２を吊上げる場合や、近傍の設置物にロープで固定する場合等に使用するものである。また、連結支持体２、２が積雪荷重によって略ハ字状（図３参照）から図４に示すように矢示方向に拡開して略へ字状になるような場合、アイボルト４が他側の連結支持体２の上面２Ｄに当接して過大に拡開するのを防止して草木Ｐを保護するものである。
【００１７】
５、５は各連結支持体２に着脱可能に連結する木製の一対の遮蔽パネルを示す。該各遮蔽パネル５は前面５Ａ及び後面５Ｂが平坦で、横幅が連結支持体２と略同じ縦長の平板からなり、上面５Ｃには前記下向きホゾ穴２Ｅに挿嵌する上側連結部となる一対の上向きホゾ５Ｄ、５Ｄが長手方向に離間して形成してある。遮蔽パネル５には、前、後面５Ａ、５Ｂに開口する３個の抜き穴５Ｅ、５Ｅ、５Ｅが中央の縦方向に離間して形成してあり、両側面５Ｆ、５Ｆには略コ字状の３個の切り欠き５Ｇ、５Ｇ、５Ｇが縦方向に離間して形成してある。また、遮蔽パネル５の下面５Ｈには横長の一対の下向きホゾ穴５Ｊ、５Ｊが長手方向に離間して形成してある。
【００１８】
なお、本実施の形態における遮蔽パネル５のサイズは高さ約９０ｃｍ、横幅約１８０ｃｍであるが、軽量化、設置するスペース、保護する草木Ｐの丈も種々であるから、遮蔽パネル５の縦横の寸法は特に限定されるものではない。
【００１９】
６、６は前記遮蔽パネル５の下向きホゾ穴５Ｊ、５Ｊに係脱自在に連結する木製の一対の地盤係止体を示す。該各地盤係止体６は雪囲い１を地盤に係止し、また水平に保持するためのもので、縦断面において下窄まりの楔状をした横長の係止本体６Ａと、該係止本体６Ａの上面に突出し、遮蔽パネル５の下向きホゾ穴５Ｊ、５Ｊに挿嵌するホゾ６Ｂとから構成してある。地盤係止体６は傾斜地に雪囲いを水平に設置する場合に、遮蔽パネル５の下面５Ｈのいずれかのホゾ穴５Ｊに挿嵌することで、雪囲い１を略水平の状態に設置できる。また、地盤係止体６は下窄まりの楔状に形成してあり、地盤Ｇに下端側を差し込むことにより雪囲い１の安定性を高めることができる。
【００２０】
７は連結支持体２、２を連結するヒンジ４に吊下げた水平器で、該水平器７は吊下げ紐７Ａの下端に錘７Ｂを設けたものからなり、雪囲い１の前後方向の傾きを検知して略正しい姿勢に修正するためのものである。また、８は一側の連結支持体２の前面２Ａに設けた水準器で、該水準器８は雪囲い１の左右の傾きを検知して略水平に修正するためのものである。
【００２１】
次に、上述の構成からなる本実施の形態に係る雪囲い１の作用について説明する。一対の連結支持体２、２はヒンジ３、３、３で連結することにより、略ハ字状に拡開可能になっている。先ず、一側の連結支持体２の下向きホゾ穴２Ｅ、２Ｅに遮蔽パネル５の上向きホゾ５Ｄ、５Ｄを挿嵌して連結し、次に他側の連結支持体２に上記と同様にして遮蔽パネル５を連結することにより雪囲い１を組立てる。そして、雪囲い１は季節風の向きを考慮し、雪や風から保護する草木Ｐを覆うように略ハ字状に拡開して地盤Ｇに設置する（図５参照）。
【００２２】
この場合、草木Ｐの丈が高い場合には、遮蔽パネル５の下向きホゾ穴５Ｊに他の遮蔽パネル５の上向きホゾ５Ｄを挿嵌して縦方向に連結することにより雪囲い１の高さを調整する。また、草木Ｐの丈がさほど高くない場合でも、余裕のある大きさの雪囲い１を設置することで、春先の融雪や雨によって水分を多く含む積雪により荷重が増している場合にも耐えることができる。
【００２３】
草木Ｐを覆うようにして地盤Ｇに設置した雪囲い１は、草木Ｐが積雪荷重や風圧によって枝折れする事態や、倒れる事態から保護することができる。また、遮蔽パネル５には複数の抜き穴５Ｅを形成することにより、設置作業の負担を軽減できるし、風が抜けるので風圧によって雪囲い１が位置ずれし、或いは転倒する事態を回避することができる。また、抜き穴５Ｅを介して太陽光が内側に射し込むことで、雪囲い１内側の積雪の融雪を促進し、草木の生育を早めることができる。
【００２４】
また、地盤Ｇが傾斜面の場合は、水平器７と水準器８から傾斜の状態を把握して地盤係止体６を遮蔽パネル５の下面５Ｈの左、右に選択的に取着し、雪囲い１を略水平の姿勢にすることにより、雪囲い１が積雪荷重や風圧で位置ずれして草木Ｐを傷めるのを防止し、かつ積雪荷重が片寄りして雪囲い１が転倒する事態を回避することができる。しかも、地盤係止体６は下端側が地盤Ｇに食い込むことで、雪囲い１が積雪荷重によって扁平状に拡開する事態や風圧によって位置ずれする事態を防止できる。
【００２５】
次に、図６乃至図８に第２の実施の形態を示す。なお、本実施の形態において第１の実施の形態の構成要素と同一の構成要素には同一の符号を付して援用し、その説明を省略する。図において、２１は雪囲い、２２、２２は該雪囲い２１を構成する木製の一対の連結支持体を示す。該各連結支持体２２は前面２２Ａ、後面２２Ｂが平坦な横長方形の平板からなり、一側側面２２Ｃに支持体連結部としての横向きホゾ２２Ｄを突出形成し、他側側面２２Ｅに支持体連結部としての横向きホゾ穴２２Ｆを形成し、下面２２Ｇにパネル係合部としての横長の一対の下向きホゾ穴２２Ｈ、２２Ｈが長手方向に離間して形成してある。そして、一対の連結支持体２２、２２は上面２２Ｊに設けたヒンジ３で連結し、略ハ字状に下向きに拡開可能に、かつ格納時には後面２２Ｂ、２２Ｂを衝合して平板状に折畳み可能になっている。
【００２６】
２３は前記各連結支持体２２に着脱可能に連結する木製の遮蔽パネルを示す。該遮蔽パネル２３は前面２３Ａ及び後面２３Ｂが平坦で、横幅が連結支持体２２と略同じ縦長の平板からなり、上面２３Ｃには前記下向きホゾ穴２２Ｈに挿嵌する上側連結部としての一対の上向きホゾ２３Ｄ、２３Ｄが長手方向に離間して形成してある。ここで、該各上向きホゾ２３Ｄは前記下向きホゾ穴２２Ｈの深さより長く設定することにより、上向きホゾ２３Ｄの略３分の２は露出するようにしてある。
【００２７】
また、遮蔽パネル２３には、前、後面２３Ａ、２３Ｂに開口する３個の抜き穴２３Ｅ、２３Ｅを中央の縦方向に離間して形成し、両側面２３Ｆ、２３Ｆには略コ字状の３個の切り欠き２３Ｇ、２３Ｇ、２３Ｇを縦方向に離間して形成すると共に、一側側面２３Ｆにパネル連結部としての横向きホゾ２３Ｈ、他側側面２３Ｆにパネル連結部としての横向きホゾ穴２３Ｊが形成してある。ここで、各切り欠き２３Ｇは一対の遮蔽パネル２３、２３の側面２３Ｆを突き合わせて列設した場合に抜き穴２４を形成する。また、遮蔽パネル２３の下面２３Ｋには横長の一対の下向きホゾ穴２３Ｌ、２３Ｌが長手方向に離間して形成してある。
【００２８】
本実施の形態は上述の構成からなり、連結支持体２２の下向きホゾ穴２２Ｈ及び遮蔽パネル２３の下向きホゾ穴２３Ｌに対して遮蔽パネル２３の上向きホゾ２３Ｄは長く設定し、連結支持体２２と遮蔽パネル２３との間、及び縦方向に連設する遮蔽パネル２３、２３との間に複数の抜き穴２４、２４、・・を形成するようにしたから、雪囲い２１に掛る風圧を減少して安全性を高め、太陽光が内側に均等に射し込むようにし、かつ遮蔽パネル２３の軽量化を図ることができる。
【００２９】
更に、列設する連結支持体２２、２２の横向きホゾ２２Ｄと横向きホゾ穴２２Ｆ、及び遮蔽パネル２３、２３の横向きホゾ２３Ｈとホゾ穴２３Ｊを挿嵌して横方向に連結する構成にしたから、列状に植栽してある草木Ｐの全体を一体的に覆うことができるし、雪囲い２１を単体で設置する場合に比して、積雪荷重や強風に対して高い強度性を有することができる。また、一対の遮蔽パネル２３、２３の側面２３Ｆを突き合わせて列設した場合、切り欠き２３Ｇ、２３Ｇによって抜き穴２４を形成し、風を逃がして風圧による影響を減少すると共に、雪囲い２１内に太陽光を照射させることができる。
【００３０】
なお、各実施の形態で連結支持体２（２２）、遮蔽パネル５（２３）及び地盤係止体６は木材で成形したが、合成樹脂材で成形してもよい。
【００３１】
また、各実施の形態で、連結支持体２（２２）及び遮蔽パネル５（２３）の下面２Ｃ、５Ｈ（２２Ｇ、２３Ｋ）に下向きホゾ穴２Ｅ、５Ｊ（２２Ｈ、２３Ｌ）を形成し、遮蔽パネル５（２３）の上面５Ｃ（２３Ｃ）に上向きホゾ５Ｄ（２３Ｄ）を突設する構成にしたが、これとは逆に連結支持体２（２２）及び遮蔽パネル５（２３）の下面２Ｃ、５Ｈ（２２Ｇ、２３Ｋ）に下向きホゾを突出形成し、遮蔽パネル５（２３）の上面５Ｃ（２３Ｃ）に上向きホゾ穴を設ける構成にしてもよい。この場合には、遮蔽パネル５（２３）の下面５Ｈ（２３Ｋ）から突出する下向きホゾが地盤Ｇに係止することで高い安定性を得ることができる。
【符号の説明】
【００３２】
１、２１        雪囲い
２、２２        連結支持体
２Ｅ、２２Ｈ    下向きホゾ穴（パネル係合部）
４              アイボルト（拡開防止具）
５、２３        遮蔽パネル
５Ｄ、２３Ｄ    上向きホゾ（上側連結部）
５Ｅ、２３Ｅ、２４    抜き穴
５Ｈ、２３Ｋ    下面
５Ｊ、２３Ｌ    下向きホゾ穴（下側連結部）
６              地盤係止体
【図１】
2012239387.tif 000003
【図２】
2012239387.tif 000004
【図３】
2012239387.tif 000005
【図４】
2012239387.tif 000006
【図５】
2012239387.tif 000007
【図６】
2012239387.tif 000008
【図７】
2012239387.tif 000009
【図８】
2012239387.tif 000010
【手続補正書】
【提出日】平成23年9月27日(2011.9.27)
【手続補正１】
【補正対象書類名】図面
【補正対象項目名】図６
【補正方法】変更
【補正の内容】
【図６】
2012239387.tif 000011
【手続補正２】
【補正対象書類名】図面
【補正対象項目名】図７
【補正方法】変更
【補正の内容】
【図７】
2012239387.tif 000012
【手続補正３】
【補正対象書類名】図面
【補正対象項目名】図８
【補正方法】変更
【補正の内容】
【図８】
2012239387.tif 000013